【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
高流動点有機原料油を改良型生成物に変換するための連続流プロセスであって、
高流動点有機原料油を提供することと、
蒸留留分および重質留分を産生するように、前記高流動点有機原料油を分離システムの中へ送給することと、
第１の部分および第２の部分から成る改良型重質留分を産生するように、前記分離システムからの前記重質留分を高速熱水反応器システムの中へ送給することと、
前記改良型重質留分から除去される熱の量を制御することによって、前記改良型重質留分の前記第１の部分と前記改良型重質留分の前記第２の部分との割合を制御することと、
前記改良型生成物を形成するように、前記改良型重質留分の前記第２の部分を前記蒸留留分と組み合わせ、かつ、前記改良型重質留分の前記第１の部分を前記分離システムの中へ送給することと
を含み、
前記高速熱水反応器システムは、前記改良型重質留分の前記第１の部分が前記分離システムの中へ送給されるときに所定量のエネルギーが前記蒸留留分および前記重質留分の分離を達成するために十分であるように、前記所定量のエネルギーを前記重質留分に伝達して前記改良型重質留分の前記第１の部分を産生する、プロセス。
【請求項２】
重質留分混合物を産生するように、前記分離システムからの前記重質留分を水および水・油混合物のうちの１つと混合し、前記重質留分混合物を前記高速熱水反応器システムの中へ送給することをさらに含む、請求項１に記載のプロセス。
【請求項３】
再生利用のための水を回収するために前記蒸留留分または前記改良型重質留分から水を分離し、前記重質留分と組み合わせることをさらに含む、請求項２に記載のプロセス。
【請求項４】
低流動点を有する改良型重質留分を産生するために十分な時間にわたって前記高速熱水反応器システムの中で前記水および重質留分混合物の温度および圧力を維持することをさらに含む、請求項２に記載のプロセス。
【請求項５】
前記高流動点有機原料油は、１０℃を上回る流動点を有し、重質原油、タールサンドビチューメン、シェール油、黄色ろうおよび黒色ろうを含むろう状原油、石油留分、合成原油、およびそれらの混合物から成る群から選択される、請求項１に記載のプロセス。
【請求項６】
前記合成原油は、フィッシャー・トロプシュプロセスからのろうを含む、請求項５に記載のプロセス。
【請求項７】
前記分離システムは、１３７８９．５２Ｐａ〜２０６８４２．８Ｐａの正味正圧で操作され、１つまたはそれを上回るフラッシュドラム、１つまたはそれを上回る精留塔、１つまたはそれを上回る蒸留塔、もしくはそれらの任意の組み合わせのうちの少なくとも１つを備える、請求項１に記載のプロセス。
【請求項８】
前記高速熱水反応器システムから流出する前記改良型重質留分を減圧することと、前記減圧された改良型重質留分を濾過することと、送給・流出熱交換器の中で前記濾過された減圧された重質留分を部分的に冷却することと、前記改良型生成物を形成するように、耐火化合物を含有する残留物部分が前記分離システムからの前記蒸留留分と組み合わせられる、フラッシュドラムに、前記部分的に冷却された重質留分を送給することとをさらに含む、請求項１に記載のプロセス。
【請求項９】
前記分離システムからの前記蒸留留分を凝縮して燃料ガスおよび還流を産生するように、１つまたはそれを上回る凝縮器を提供することをさらに含み、前記還流の第１の部分は、前記分離システムの中へ送給される、請求項１に記載のプロセス。
【請求項１０】
前記還流の第２の部分は、前記改良型生成物を産生するように、前記高速熱水反応器からの前記改良型重質留分の一部と組み合わせられる、請求項９に記載のプロセス。
【請求項１１】
いかなる液体副生成物も産生されない、請求項１０に記載のプロセス。
【請求項１２】
前記重質留分が前記高速熱水反応器システムに送給される前に、高いコンラドソン残留炭素分（ＣＣＲ）を呈する原料油からコークス前駆物質を除去するように、脱歴プロセスにおいて前記分離システムからの前記重質留分を処理することをさらに含む、請求項１に記載のプロセス。
【請求項１３】
前記脱歴プロセスは、溶媒脱歴プロセスおよび真空蒸留のうちの１つを含む、請求項１２に記載のプロセス。
【請求項１４】
前記高速熱水反応器システムの中の水対油重量比は、１：２０〜１：１である、請求項２に記載のプロセス。
【請求項１５】
前記水対油重量比は、１：１０〜１：２である、請求項１４に記載のプロセス。
【請求項１６】
前記重質留分および油・水混合物は、４００℃〜６００℃の温度まで前記高速熱水反応器システムの中で加熱される、請求項２に記載のプロセス。
【請求項１７】
前記重質留分および油・水混合物は、４５０℃〜５５０℃の温度まで加熱される、請求項１６に記載のプロセス。
【請求項１８】
前記高速熱水反応器システム内の圧力は、１０３４２１４０Ｐａ〜４１３６８５６０Ｐａで維持される、請求項４に記載のプロセス。
【請求項１９】
前記高速熱水反応器システム内の圧力は、２０６８４２８０Ｐａ〜２７５７９０４０Ｐａで維持される、請求項１８に記載のプロセス。
【請求項２０】
動作条件における前記高速熱水反応器システム内の前記重質留分の滞留時間は、１分未満である、請求項１に記載のプロセス。
【請求項２１】
前記高速熱水反応器システムから流出する前記改良型重質留分を減圧することと、前記減圧された改良型重質留分を濾過することと、前記濾過された改良型重質留分を送給・流出熱交換器に送給することと、前記濾過された改良型重質留分を冷却することと、そこから燃料ガスおよび水を除去するように、前記冷却された改良型重質留分を１つまたはそれを上回る分離器に送給することと、液体副生成物を産生することなく前記改良型生成物を形成するように、前記１つまたはそれを上回る分離器から流出する前記改良型重質留分を前記蒸留留分と組み合わせることとを含む、請求項１に記載のプロセス。
【請求項２２】
前記重質留分が前記高速熱水反応器システムに送給される前に、高いコンラドソン残留炭素分（ＣＣＲ）を呈する原料油からコークス前駆物質を除去するように、脱歴プロセスにおいて前記分離システムからの前記重質留分を処理することをさらに含み、前記脱歴プロセスは、溶媒脱歴プロセスおよび真空蒸留のうちの１つを含む、請求項２１に記載のプロセス。
【請求項２３】
高流動点有機原料油を改良型生成物に変換するための連続流システムであって、
高流動点有機原料油を受容するため、ならびに前記高流動点有機原料油を蒸留留分および重質留分に分離するための分離システムと、
前記分離システムから前記重質留分を受容するため、および前記重質留分を第１の部分および第２の部分から成る改良型重質留分に改良するための高速熱水反応器システムであって、前記改良型重質留分の前記第１の部分と前記改良型重質留分の前記第２の部分との割合が、前記改良型重質留分から除去される熱の量を制御することによって制御され、前記改良型生成物を形成するように、前記改良型重質留分の前記第２の部分が前記蒸留留分と組み合わせられ、かつ、前記改良型重質留分の前記第１の部分が前記分離システムの中へ送給される、高速熱水反応器システムと
を備え、
前記高速熱水反応器システムは、前記改良型重質留分の前記第１の部分が前記分離システムの中へ送給されるときに所定量のエネルギーが前記蒸留留分および前記重質留分の分離を達成するために十分であるように、前記所定量のエネルギーを前記重質留分に伝達して前記改良型重質留分の前記第１の部分を産生するための温度および圧力で動作するように構成される、システム。
【請求項２４】
前記高速熱水反応器システムの前の一列に並んだ場所で前記分離システムからの前記重質留分と混合するための水または水・油混合物送給を含む、請求項２３に記載のシステム。
【請求項２５】
前記高流動点有機原料油は、１０℃を上回る流動点を有し、重質原油、タールサンドビチューメン、シェール油、黄色ろうおよび黒色ろうを含むろう状原油、石油留分、合成原油、およびそれらの混合物から成る群から選択される、請求項２３に記載のシステム。
【請求項２６】
前記高速熱水反応器システムから流出する前記改良型重質留分を減圧するための減圧デバイスと、前記減圧された改良型重質留分を濾過するためのフィルタと、前記濾過された減圧された重質留分を部分的に冷却するための送給・流出熱交換器と、前記改良型生成物を形成するように、耐火化合物を含有する残留物部分が前記分離システムからの前記蒸留留分と組み合わせられる、前記部分的に冷却された重質留分を受容するためのフラッシュドラムとをさらに備える、請求項２３に記載のシステム。
【請求項２７】
前記分離システムからの前記蒸留留分を凝縮して燃料ガスおよび還流を産生するための１つまたはそれを上回る凝縮器をさらに備え、前記還流の第１の部分は、前記分離システムの中へ送給される、請求項２３に記載のシステム。
【請求項２８】
前記還流の第２の部分は、いかなる液体副生成物も産生することなく前記改良型生成物を産生するように、前記高速熱水反応器からの前記改良型重質留分の一部と組み合わせられる、請求項２７に記載のシステム。
【請求項２９】
前記重質留分が前記高速熱水反応器システムに送給される前に、高いコンラドソン残留炭素分（ＣＣＲ）を呈する原料油からコークス前駆物質を除去するように、前記分離システムから流出する前記重質留分を処理するための脱歴デバイスをさらに備える、請求項２３に記載のシステム。
【請求項３０】
前記高速熱水反応器システムから流出する前記改良型重質留分を減圧するための減圧デバイスと、前記減圧された改良型重質留分を濾過するためのフィルタと、前記濾過された改良型重質留分を冷却するための送給・流出熱交換器と、前記改良型重質留分から燃料ガスおよび水を分離するための１つまたはそれを上回る分離器とをさらに備え、前記１つまたはそれを上回る分離器から流出する前記改良型重質留分は、液体副生成物を産生することなく前記改良型生成物を形成するように、前記蒸留留分と組み合わせられる、請求項２３に記載のシステム。
【請求項３１】
前記重質留分が前記高速熱水反応器システムに送給される前に、高いコンラドソン残留炭素分（ＣＣＲ）を呈する原料油からコークス前駆物質を除去するように、前記分離システムからの前記重質留分を処理するための脱歴デバイスをさらに備え、前記脱歴デバイスは、溶媒脱歴デバイスおよび真空蒸留デバイスのうちの１つを備える、請求項３０に記載のシステム。